(57)【要約】【課題】コスト削減が可能で、光の均一性に優れたバックライトモジュール及び駆動回路モジュールを提供すること課題とする。【解決手段】第一パワー供給回路３１１及び第一電流フィードバック回路３１２を有する第一駆動回路板３１と、第二パワー供給回路３２１及び第二電流フィードバック回路３２２を有する第二駆動回路板３２と、その一端が直接第一駆動回路板の第一パワー供給回路に電気的に接続され、その他端が直接第二駆動回路板の第二電流フィードバック回路に電気的に接続される第一発光ユニット３３と、その一端が直接第二駆動回路板の第二パワー供給回路に電気的に接続され、その他端が直接第二駆動回路板の第一電流フィードバック回路に電気的に接続される第二発光ユニット３４とを備えたバックライトモジュール３とする。【選択図】図３
2007165321.tif 000002
【特許請求の範囲】
【請求項１】
第一パワー供給回路及び第一電流フィードバック回路を有する第一駆動回路板と、
第二パワー供給回路及び第二電流フィードバック回路を有する第二駆動回路板と、
その一端が直接前記第一駆動回路板の前記第一パワー供給回路に電気的に接続され、その他端が直接前記第二駆動回路板の前記第二電流フィードバック回路に電気的に接続される第一発光ユニットと、
その一端が直接前記第二駆動回路板の前記第二パワー供給回路に電気的に接続され、その他端が直接前記第二駆動回路板の前記第一電流フィードバック回路に電気的に接続される第二発光ユニットとを備えることを特徴とする、バックライトモジュール。
【請求項２】
その一端が直接前記第一駆動回路板の前記第一パワー供給回路に電気的に接続され、その他端が直接前記第二駆動回路板の前記第二電流フィードバック回路に電気的に接続される第三発光ユニットをさらに備えることを特徴とする、請求項１に記載のバックライトモジュール。
【請求項３】
前記第三発光ユニットの他端が、
前記第二駆動回路板の前記第二電流フィードバック回路を介して前記第一発光ユニットの他端に電気的に接続されることを特徴とする、請求項２に記載のバックライトモジュール。
【請求項４】
前記第一パワー供給回路は、
第一昇圧回路を備え、それが少なくとも１つの第一パワー信号を発生させることで、前記第一発光ユニット及び前記第三発光ユニットを駆動させることを特徴とする、請求項２に記載のバックライトモジュール。
【請求項５】
前記第一発光ユニット及び前記第三発光ユニットを駆動させる前記第一パワー信号の位相差が略０度あるいは１８０度であることを特徴とする、請求項４に記載のバックライトモジュール。
【請求項６】
その一端が前記第二駆動回路板の前記第二パワー供給回路に電気的に接続され、その他端が前記第一駆動回路板の前記第一電流フィードバック回路に電気的に接続される第三発光ユニットをさらに備えることを特徴とする、請求項１に記載のバックライトモジュール。
【請求項７】
前記第三発光ユニットの他端が前記第一駆動回路板の前記第一電流フィードバック回路を介して直接前記第二発光ユニットの他端に電気的に接続されることを特徴とする、請求項６に記載のバックライトモジュール。
【請求項８】
前記第二パワー供給回路は、
第二昇圧回路を備え、それが少なくとも１つの第二パワー信号を発生させることで、前記第二発光ユニット及び前記第三発光ユニットを駆動させることを特徴とする、請求項６に記載のバックライトモジュール。
【請求項９】
前記第二発光ユニット及び前記第三発光ユニットを駆動させる前記第二パワー信号の位相差が略０度あるいは１８０度であることを特徴とする、請求項８に記載のバックライトモジュール。
【請求項１０】
ケースをさらに備え、前記ケースは反射面及び前記反射面とほぼ垂直な第一側面及び第二側面を有し、前記第一側面と前記第二側面は向かい合わせに設置され、前記第一駆動回路板は前記第一側面に設置され、前記第二駆動回路板は前記第二側面に設置されることを特徴とする、請求項１に記載のバックライトモジュール。
【請求項１１】
前記第一パワー供給回路は、
少なくとも１つの第一昇圧回路を備え、それが第一パワー信号を発生させることで前記第一発光ユニットを駆動させ、
前記第二パワー供給回路は、
少なくとも１つの第二昇圧回路を備え、それが第二パワー信号を発生させることで前記第二発光ユニットを駆動させることを特徴とする、請求項１に記載のバックライトモジュール。
【請求項１２】
前記第二電流フィードバック回路が電気的に接続される第一発光ユニットの他端の電圧は２００ボルトより小さいことを特徴とする、請求項１に記載のバックライトモジュール。
【請求項１３】
前記第一電流フィードバック回路が電気的に接続される第二発光ユニットの他端の電圧は２００ボルトより小さいことを特徴とする、請求項１に記載のバックライトモジュール。
【請求項１４】
第一発光ユニット及び第二発光ユニットを含んでなり、
第一パワー供給回路及び第一電流フィードバック回路を有し、前記第一パワー供給回路が前記第一発光ユニットの一端に電気的に接続され、前記第一電流フィードバック回路が前記第二発光ユニットの他端に電気的に接続される第一駆動回路板と、
第二パワー供給回路及び第二電流フィードバック回路を有し、前記第二パワー供給回路が前記第二発光ユニットの一端に電気的に接続され、前記第二電流フィードバック回路が前記第一発光ユニットの他端に電気的に接続される第二駆動回路板とを備えることを特徴とする、駆動回路モジュール。
【請求項１５】
前記第一駆動回路板の前記第一パワー供給回路がさらに前記第三発光ユニットの一端に電気的に接続され、前記第二駆動回路板の前記第二電流フィードバック回路がさらに前記第三発光ユニットの他端に電気的に接続されることを特徴とする、請求項１４に記載の駆動回路モジュール。
【請求項１６】
前記第三発光ユニットの他端が前記第二駆動回路板の前記第二電流フィードバック回路を介して直接前記第一発光ユニットの他端に電気的に接続されることを特徴とする、請求項１５に記載の駆動回路モジュール。
【請求項１７】
前記第一パワー供給回路は、
第一昇圧回路を備え、それが少なくとも１つの第一パワー信号を発生させることで、前記第一発光ユニット及び前記第三発光ユニットを駆動させることを特徴とする、請求項１５に記載の駆動回路モジュール。
【請求項１８】
前記第一発光ユニット及び前記第三発光ユニットを駆動させる前記第一パワー信号の位相差が略０度あるいは１８０度であることを特徴とする、請求項１７に記載の駆動回路モジュール。
【請求項１９】
前記第二駆動回路板の前記第二パワー供給回路がさらに第三発光ユニットの一端に電気的に接続され、前記第一駆動回路板の前記第一電流フィードバック回路がさらに第三発光ユニットの他端に電気的に接続されることを特徴とする、請求項１４に記載の駆動回路モジュール。
【請求項２０】
前記第三発光ユニットの他端が前記第一駆動回路板の前記第一電流フィードバック回路を介して前記第二発光ユニットの他端に電気的に接続されることを特徴とする、請求項１９に記載の駆動回路モジュール。
【請求項２１】
前記第二パワー供給回路は、
第二昇圧回路を備え、それが少なくとも１つの第二パワー信号を発生させることで、前記第二発光ユニット及び前記第三発光ユニットを駆動させることを特徴とする、請求項１９に記載の駆動回路モジュール。
【請求項２２】
前記第二発光ユニット及び前記第三発光ユニットを駆動させる前記第二パワー信号の位相差が略０度あるいは１８０度であることを特徴とする、請求項２１に記載の駆動回路モジュール。
【請求項２３】
前記第一パワー供給回路は、
少なくとも１つの第一昇圧回路を備え、それが第一パワー信号を発生させることで前記第一発光ユニットを駆動させ、
前記第二パワー供給回路は、
少なくとも１つの第二昇圧回路を備え、それが第二パワー信号を発生させることで前記第二発光ユニットを駆動させることを特徴とする、請求項１４に記載の駆動回路モジュール。
【請求項２４】
前記第二電流フィードバック回路が電気的に接続される第一発光ユニットの他端の電圧は２００ボルトより小さいことを特徴とする、請求項１４に記載の駆動回路モジュール。
【請求項２５】
前記第一電流フィードバック回路が電気的に接続される第二発光ユニットの他端の電圧は２００ボルトより小さいことを特徴とする、請求項１４に記載の駆動回路モジュール。
【発明の詳細な説明】
【技術分野】
【０００１】
本発明は、バックライトモジュール及びその駆動回路モジュールに関し、特にコスト削減が可能で、光の均一性に優れたバックライトモジュール及び駆動回路モジュールに関する。
【背景技術】
【０００２】
一般に液晶表示装置はＬＣＤユニット及びバックライトモジュールを備える。このうち、バックライトモジュールは概ね直下型バックライトモジュール及び側光型バックライトモジュールの２つのタイプがある。
【０００３】
いずれの形態のバックライトにおいても、少なくとも１個の駆動回路板によってバックライトモジュールを駆動させる発光ユニットを備える必要がある。現在、最も一般的に行なわれているのは、発光ユニットに冷陰極蛍光ランプを用いた形式で、発光ユニットの駆動は駆動回路板によって供給される高圧駆動信号を用いて行われる。
【発明の開示】
【発明が解決しようとする課題】
【０００４】
図１を参照しながら説明する。発光ユニット１１（冷陰極蛍光ランプ）と駆動回路板１３は簡単に接続及び組み立てがなされる。発光ユニット１１の電極端子１１１に耐高圧で接続端子１２１を有する接続線１２が電気的に接続され、他の電極端子１１２は接続線１４によって耐高圧の接続端子１２１に電気的に接続される。さらに、接続端子１２１を介して駆動回路板１３の接続端子１３１に接続される。この時、駆動回路板１３が出力する高圧駆動信号は接続端子１３１、接続端子１２１及び接続線１２を介して、発光ユニット１１に送られ、発光ユニット１１に印加される。発光ユニット１１と駆動回路板１３は接続線１２、１４によって接続されなければならないため、組み立ての際に人手を要する。言い換えれば、オートメーション化による生産ができないことを意味する。また、接続線１２及び接続端子１２１、接続端子１３１はいずれも耐高温である必要性から、コスト面で高くならざるを得ない。
【０００５】
上述のバックライトモジュールについて言えば、発光ユニット１１が冷陰極ランプを使用する場合、冷陰極ランプの特性から、一般に高圧駆動信号を受ける一端の明るさは他端の明るさに勝る。いい換えれば、図２に示すように、大きいサイズの液晶表示装置のバックライト２において数量の多い冷陰極ランプを使用する時、液晶ディスプレーにおける高圧駆動信号を受ける側Ｓ１の明るさは他方Ｓ２の明るさに勝るため、液晶表示装置の明るさに不均衡が生じ、ディスプレーの品質に影響する。
【０００６】
本発明は、いかにしてコストを削減し、光の均一性に優れたバックライトモジュール及び駆動回路モジュールを提供するかを課題とする。
【課題を解決するための手段】
【０００７】
上記課題を解決するために、本発明に係るバックライトモジュールは、第一駆動回路板、第二駆動回路板、第一発光ユニット、第二発光ユニットを備える。第一駆動回路板は第一パワー供給回路及び第一電流フィードバック回路を有する。第二駆動回路板は第二パワー供給回路及び第二電流フィードバック回路を有する。第一発光ユニットの一端は第一駆動回路板の第一パワー供給回路に電気的に接続され、他端は第二駆動回路板の第二電流フィードバック回路に電気的に接続される。第二発光ユニットの一端は第二駆動回路板の第二パワー供給回路に電気的に接続され、他端は第一駆動回路板の第一電流フィードバック回路に電気的に接続される。
【０００８】
さらに、本発明のバックライトモジュールは、必要とするパワー信号を、第一駆動回路板及び第二駆動回路板のそれぞれに備えられたパワー供給回路によって互いに逆方向より複数の発光ユニットに供給し、それによって、バックライトモジュールにより発生する光源の明るさを平均にすることを特徴とするものである。
【０００９】
また、本発明に係わる駆動回路モジュールは、上述した第一駆動回路板及び第二駆動回路板を備えたことを特徴とするものである。駆動回路モジュールは、第一発光ユニットと第二発光ユニットの組み合わせにより応用される。第一駆動回路板は第一パワー供給回路及び第一電流フィードバック回路を備え、このうち、第一パワー供給回路は第一発光ユニットの一端に電気的に接続され、第一電流フィードバック回路は第二発光ユニットの他端に電気的に接続される。第二駆動回路板は第二パワー供給回路及び第二電流フィードバック回路を備え、このうち、第二パワー供給回路は第二発光ユニットの一端に電気的に接続され、第二電流フィードバック回路は第一発光ユニットの他端に電気的に接続される。
【００１０】
さらに、本発明の駆動回路モジュールは、必要とするパワー信号を、第一駆動回路板及び第二駆動回路板のそれぞれに備えられたパワー供給回路によって互いに逆方向より複数の発光ユニットに供給し、それによって、駆動回路モジュールにより駆動される光源の明るさを平均にすることを特徴とするものである。
【発明の効果】
【００１１】
本発明のバックライトモジュールは、必要とするパワー信号を、第一駆動回路板及び第二駆動回路板のそれぞれに備えられたパワー供給回路によって互いに逆方向より複数の発光ユニットに供給する。これにより、バックライトモジュールによって発生する光源の明るさを平均にすることができる。
また、本発明の駆動回路モジュールは、必要とするパワー信号を、第一駆動回路板及び第二駆動回路板のそれぞれに備えられたパワー供給回路によって互いに逆方向より複数の発光ユニットに供給する。これにより、駆動回路モジュールによって駆動される光源の明るさを平均にすることをできる。
さらに、駆動回路板をバックライトモジュールのケースの側面に設置することで、発光ユニットは、直接駆動回路板に電気的に接続されるため、高圧接続パーツを使用して発光ユニットを駆動回路板に接続する必要がない。言い換えれば、駆動回路板によって発生されるパワー信号は直接発光ユニットに入力されるため、高圧接続パーツのコストを削減することが可能である。
【発明を実施するための最良の形態】
【００１２】
以下、図面を参照しながら、本発明のバックライトモジュール及び駆動回路モジュールの好適な実施例について説明する。
【００１３】
図３を参照して、本発明の好適な実施例のバックライトモジュールについて説明する。バックライトモジュール３は、第一駆動回路板３１、第二駆動回路板３２、第一発光ユニット３３及び第二発光ユニット３４を備え、ケース４１を組み合わせて使用する。ケース４１は反射面４１１を有し、反射面４１１はほぼ垂直な第一側面４１２及び第二側面４１３を有する。このうち、第一側面４１２と第二側面４１３は向かい合わせに設置される。本実施例において、第一駆動回路板３１はケース４１の第一側面４１２に設置され、第二駆動回路板３２はケース４１の第二側面４１３に設置される。
【００１４】
図３に示すように、第一駆動回路板３１は第一パワー供給（Power supply）回路３１１及び第一電流フィードバック（Current return）回路３１２を備え、第二駆動回路板３２は第二パワー供給回路３２１及び第二電流フィードバック回路３２２を備える。このうち、第一パワー供給回路３１１は第一パワー信号を発生させ、第二パワー供給回路は第二パワー信号を発生させる。
【００１５】
第一発光ユニット３３の一端３３１は、直接第一駆動回路板３１の第一パワー供給回路３１１に電気的に接続され、第一発光ユニット３３の他端３３２は、直接第二駆動回路板３２の第二電流フィードバック回路３２２に電気的に接続される。また、第二発光ユニット３４の一端３４１は、直接第二駆動回路板３２の第二パワー供給回路３２１に電気的に接続され、第二発光ユニット３４の他端３４２は直接第一駆動回路板３１の第一電流フィードバック回路３１２に電気的に接続される。本実施例において、第一パワー供給回路３１１によって発生する第一パワー信号は第一発光ユニット３３を駆動させるのに用いられ、第二パワー供給回路３２１によって発生する第二パワー信号は第二発光ユニット３４を駆動させるのに用いられる。
【００１６】
さらに、図４に示すように、本実施例では、第一パワー供給回路３１１は、第一昇圧回路３１１１、第一スイッチ回路３１１２及び第一コントロール回路３１１３を備える。そして、第二電流フィードバック回路３２２は、少なくとも１個の金属コードその他によって接地回路あるいは信号フィードバック回路に電気的に接続される。図４に示すように、第一コントロール回路３１１３は少なくとも１組のスイッチ信号Pia、Pibを発生させ、第一スイッチ回路３１１２はスイッチ信号Pia、PibによってＯＮ、ＯＦＦの切り替えを行なう。第一昇圧回路３１１１は、第一スイッチ回路３１１２によるＯＮ、ＯＦＦの切り替え動作によって、第一パワー信号を発生させて第一発光ユニット３３を駆動させる。本実施例において、第一昇圧回路３１１１は、変圧器Ｔ1及びコンデンサーＣ1を備え、第一スイッチ回路３１１２はバイポーラートランジスター(bipolar transistor)Ｑ1、Ｑ2を備える。バイポーラートランジスター(bipolar transistor)Ｑ1、Ｑ2は、それぞれコンデンサーＣ1の一端に電気的に接続され、さらに、それぞれ第一コントロール３１１３によって発生されたスイッチ信号Ｐia、ＰibによってＯＮ、ＯＦＦの切り替え動作を行なう。なお、第一コントロール回路３１１３は、アナログ式の切り替え信号発生回路あるいは単一チップあるいはデジタルプロセッサーでも可能である。
【００１７】
図４Ｂに示すように、第二パワー供給回路３２１は第二昇圧回路３２１１、第二スイッチ回路３２１２及び第二コントロール回路３２１３を備える。このうち、第二昇圧回路３２１１は第一昇圧回路３１１１同様の構成部分を備え、第二スイッチ回路３２１２は第一スイッチ回路３１１２と同様の構成部分を備える。その動作の原理は上述の内容と同様である。故に、ここでは説明を省略する。しかしながら、ここで強調すべきなのは、第二パワー供給回路３２１の第二スイッチ回路３２１２もまた、第一パワー供給回路３１１の第一コントロール回路３１１３が発生するスイッチ信号Pia、PibによってＯＮ、ＯＦＦの切り替えを行ない得るという点である。言い換えれば、バックライトモジュールにおいてわずかに１個のコントロール回路を使用するだけで足りるのである。また、第一電流フィードバック回路３１２もまた、第二電流フィードバック回路３２２と同様に、少なくとも１個の金属コードその他によって接地回路あるいは信号フィードバック回路に電気的に接続され、その動作原理もまた同様である。故に、ここでは説明を省略する。また、第二電流フィードバック回路３２２が電気的に接続される第一発光ユニット３３の他端３３２の電圧は２００ボルトより小さく、第一電流フィードバック回路３１２が電気的に接続される第二発光ユニット３４の他端３４２の電圧も２００ボルトより小さい。
【００１８】
さらに、本発明の好適な実施例の駆動回路モジュール３が大きいサイズの液晶表示装置に応用される場合は、同時により多くの発光ユニットを駆動させる必要がある。以下に、駆動回路モジュールが４本の発光ユニットを駆動させる場合を例として、本発明の好適な実施例の駆動回路モジュールについて説明する。
【００１９】
図５Ａに示すように、上述の駆動回路モジュールの構成以外に、さらに、第三発光ユニット３５及び第四発光ユニット３６を備える。このうち、第三発光ユニット３５の一端３５１は、第一駆動回路板３１の第一パワー供給回路３１１に電気的に接続され、第三発光ユニット３５の他端３５２は第二駆動回路板３２の第二電流フィードバック回路３２２に電気的に接続される。第四発光ユニット３６の一端３６１は第二駆動回路板３２の第二パワー供給回路３２１に電気的に接続され、第四発光ユニット３６の他端３６２は第一駆動回路板３１の第一電流フィードバック回路３１２に電気的に接続される。
【００２０】
図５Ａに示すように、第一パワー供給回路３１１は、２個の第一変圧器Ｔ1、Ｔ1’を備える。このうち、第一変圧器Ｔ1が発生させる第一パワー信号は第一発光ユニット３３を駆動させ、第一変圧器Ｔ1’が発生させる第一パワー信号は第三発光ユニット３５を駆動させる。第二パワー供給回路３２１は、２個の第二変圧器Ｔ2、Ｔ2’を備える。このうち、第二変圧器Ｔ2が発生させる第二パワー信号は第二発光ユニット３４を駆動させ、第二変圧器Ｔ2’が発生させる第二パワー信号は第四発光ユニット３６を駆動させる。本実施例においては、図５Ｂに示すように、実際の必要に応じて第一駆動回路板３１の第一電流フィードバック回路３１２が第二駆動回路板３２の第二電流フィードバック回路３２２に電気的に接続されることにより、単一の電流フィードバック回路が構成される。
【００２１】
さらに、図６を参照しながら説明する。第一パワー供給回路３１１及び第二パワー供給回路３２１は上述のような１個の変圧器を利用して１本の発光ユニットを駆動させる方式以外に、１個の変圧器を利用して２本の発光ユニットを駆動することも可能である。図６に示すように、第一パワー供給回路３１１の第一変圧器Ｔ1の二次側はコイルＷ1、Ｗ2を有し、それぞれ第一発光ユニット３３の一端３３１及び第三発光ユニット３５の一端３５１に電気的に接続されて、第一発光ユニット３３及び第三発光ユニット３５を駆動する。第一発光ユニット３３の他端３３２及び第三発光ユニット３５の他端３５２は、第二駆動回路板３２の第二電流フィードバック回路３２２に電気的に接続される。さらに、第二パワー供給回路３２１の第二変圧器Ｔ2の二次側も２組のコイルＷ3、Ｗ4を有し、それぞれ第二発光ユニット３４の一端３４１及び第四発光ユニット３６の一端３６１に電気的に接続されて、第二発光ユニット３４及び第四発光ユニット３６を駆動する。第二発光ユニット３４の他端３４２及び第四発光ユニット３６の他端３６２は、第一駆動回路板３１の第一電流フィードバック回路３１２に電気的に接続される。
【００２２】
ここで言及するのは、実際に設計する場合の必要性から、第一発光ユニット３３及び第三発光ユニット３５の第一パワー信号の位相差は略０度あるいは１８０度であることである。そして、第二発光ユニット３４及び第四発光ユニット３６を駆動させる第二パワー信号の位相差もまた、略０度あるいは１８０度である。
【００２３】
また、図７Ａに示すように、第二電流フィードバック回路３２２は第一発光ユニット３３の他端３３２及び第三発光ユニット３５の他端３５２は直接電気的に接続される。第一電流フィードバック回路３１２は第二発光ユニット３４の他端３４２及び第四発光ユニット３６の他端３６２に直接電気的に接続される。また、図７Ｂに示すように、第一電流フィードバック回路３１２は第二発光ユニット３４の他端３４２が、第一コンデンサーＣ2を介することにより、第四発光ユニット３６の他端３６２に電気的に接続される。そして、第二電流フィードバック回路３２２は第一発光ユニット３３の他端３３２が、第二コンデンサーＣ3を介することにより、第三発光ユニット３５の他端３５２に電気的に接続される。
【００２４】
さらに、８個の発光ユニットの場合を例に、発光ユニットの数量がさらに多くなった実施例について図８を参照しながら説明する。実際の設計においては、異なる実施状態が考えられる。
【００２５】
上述のように、本発明のバックライトモジュールは、必要とするパワー信号を、第一駆動回路板及び第二駆動回路板のそれぞれに備えられたパワー供給回路によって互いに逆方向より複数の発光ユニットに供給する。ここで、サイズの大きい液晶表示装置に応用してさらに多くの発光ユニットを使用する必要がある場合、本発明のバックライトモジュールの構成によれば、これらの発光ユニットに提供される必要なパワー信号が、駆動回路モジュールが駆動する発光ユニットによって発生させる光源の明るさを平均にする。また、駆動回路板をバックライトモジュールのケースの側面に設置することで、発光ユニットは、直接駆動回路板に電気的に接続されるため、高圧接続パーツを使用して発光ユニットを駆動回路板に接続する必要がない。言い換えれば、駆動回路板によって発生されるパワー信号は直接発光ユニットに入力されるため、高圧接続パーツのコストを削減することが可能である。
以上、本発明の好適な実施例のバックライトモジュールについて詳しく説明した。
【００２６】
以下に、本発明の駆動回路モジュールについて説明する。
本発明の好適な実施例の駆動回路モジュールの特徴は前述の内容と同様であるため、ここでは詳しい説明を省略する。
本発明の好適な実施例の駆動回路モジュールは、第一駆動回路板３１及び第二駆動回路板３２を備え、第一発光ユニット３３、第二発光ユニット３４及びケース４１を組み合わせて使用する（図３参照）。
【００２７】
ケース４１は反射面４１１及び、反射面４１１とほぼ垂直の第一側面４１２及び第二側面４１３を有する。このうち、第一側面４１２及び第二側面４１３は向かい合う様に設置される。本実施例において、第一駆動回路板３１は、ケース４１の第一側面４１２に、第二駆動回路板３２はケース４１の第二側面４１３に設置される。
【００２８】
第一駆動回路板３１は第一パワー供給回路３１１及び第一電流フィードバック回路３１２を有する。このうち、第一パワー供給回路３１１は、第一発光ユニット３３の一端３３１に電気的に接続される。第一電流フィードバック回路３１２は、第二発光ユニット３４の他端３４２に電気的に接続される。第二駆動回路板３２は第二パワー供給回路３２１及び第二電流フィードバック回路３２２を有する、このうち、第二パワー供給回路３２１は、第二発光ユニット３４の一端３４１に電気的に接続される。第二電流フィードバック回路３２２は、第一発光ユニット３３の他端３３２に電気的に接続される。
【００２９】
上述のように、本発明の駆動回路モジュールは、必要とするパワー信号を、第一駆動回路板及び第二駆動回路板のそれぞれに備えられたパワー供給回路によって互いに逆方向より複数の発光ユニットに供給する。ここで、サイズの大きい液晶表示装置に応用してさらに多くの発光ユニットを使用する必要がある場合、本発明の駆動回路モジュールの構成によれば、これらの発光ユニットに提供される必要なパワー信号が、駆動回路モジュールが駆動する発光ユニットによって発生させる光源の明るさを平均にする。
【００３０】
以上、本発明の実施例を図面を参照して詳述してきたが、具体的な構成は、これらの実施例に限られるものではなく、本発明の要旨を逸脱しない範囲の設計変更などがあっても、本発明に含まれる。
【図面の簡単な説明】
【００３１】
【図１】従来のバックライトモジュールの要部の構造を示す図である。
【図２】従来のバックライトモジュールが有する複数の発光ユニットの明るさの分布を示す図である。
【図３】本発明の好適な実施例のバックライトモジュールの要部の構造を示す図である。
【図４Ａ】本発明の好適な実施例のバックライトモジュールの第一駆動回路板の要部の構造を示す図である。
【図４Ｂ】本発明の好適な実施例のバックライトモジュールの第二駆動回路板の要部の構造を示す図である。
【図５Ａ】本発明の好適な実施例のバックライトにおいて４個の発光ユニットを駆動させる例の要部の構造を示す図である。
【図５Ｂ】本発明の好適な実施例のバックライトにおいて４個の発光ユニットを駆動させる例の要部の構造を示す図である。
【図６】本発明の好適な実施例のバックライトにおいて４個の発光ユニットを駆動させる他の例の要部の構造を示す図である。
【図７Ａ】本発明の好適な実施例のバックライトにおいて４個の発光ユニットを駆動させる他の例の要部の構造を示す図である。
【図７Ｂ】本発明の好適な実施例のバックライトにおいて４個の発光ユニットを駆動させる他の例の要部の構造を示す図である。
【図８】本発明の好適な実施例のバックライトにおいて８個の発光ユニットを駆動させる例の要部の構造を示す図である。
【符号の説明】
【００３２】
11  発光ユニット
111  電極端子
112  他の電極端子
12  接続線
121  接続端子
13  駆動回路板
131  接続端子
14  接続線
31  第一駆動回路板
311  第一パワー供給回路
3111  第一昇圧回路
3112  第一スイッチ回路
3113  第一コントロール回路
312  第一電流フィードバック回路
32  第二駆動回路板
321  第二パワー供給回路
3211  第二昇圧回路
3212  第二スイッチ回路
3213  第二コントロール回路
322  第二電流フィードバック回路
33  第一発光ユニット
331  第一発光ユニットの一端
332  第一発光ユニットの他端
34  第二発光ユニット
341  第二発光ユニットの一端
342  第二発光ユニットの他端
35  第三発光ユニット
351  第三発光ユニットの一端
352  第三発光ユニットの他端
36  第四発光ユニット
361  第四発光ユニットの一端
362  第四発光ユニットの他端
41  ケース
411  反射面
412  第一側面
413  第二側面
C1 、C2、C3   コンデンサー
Pia、Pib   スイッチ信号
Q1 、Q2  トランジスター
T1、T1’、T2、T2’  変圧器
W1、W2、W3、W4  コイル
【図１】
2007165321.tif 000003
【図２】
2007165321.tif 000004
【図３】
2007165321.tif 000005
【図４Ａ】
2007165321.tif 000006
【図４Ｂ】
2007165321.tif 000007
【図５Ａ】
2007165321.tif 000008
【図５Ｂ】
2007165321.tif 000009
【図６】
2007165321.tif 000010
【図７Ａ】
2007165321.tif 000011
【図７Ｂ】
2007165321.tif 000012
【図８】
2007165321.tif 000013